(57)【要約】      （修正有）【課題】レジの使用、不使用時に最適な状態で商品を陳列できるようにして、お客さんの動線に合わせた商品販売が可能な商品陳列棚を得るにある。【解決手段】レジの横等に設置することができる商品陳列棚本体７と、この商品陳列棚本体７の少なくとも一方の側面に側面部位あるいは側面より外方へ突出するように回動支持することができる回動支持機構８を介して取付けられたウイング陳列棚９とで商品陳列棚１を構成している。【選択図】図２
2005253719.tif 000002
【特許請求の範囲】
【請求項１】
レジの横等に設置することができる商品陳列棚本体と、この商品陳列棚本体の少なくとも一方の側面に側面部位あるいは側面より外方へ突出するように回動支持することができる回動支持機構を介して取付けられたウイング陳列棚とを備えることを特徴とする商品陳列棚。
【請求項２】
レジの横等に設置することができる可動式商品陳列棚本体と、この可動式商品陳列棚本体の両側面に側面部位あるいは側面より外方へ突出するように回動支持する回動支持機構を介して取付けられた左右のウイング陳列棚とを備えることを特徴とする商品陳列棚。
【発明の詳細な説明】
【技術分野】
【０００１】
本発明はスーパーマーケット等のレジの横等に設置して使用される商品陳列棚に関する。
【背景技術】
【０００２】
従来のレジの横等に設置される商品陳列棚は商品陳列棚本体と、この商品陳列棚本体の両側面に取付けられた、商品陳列用の左右のゴンドラとで構成されている。
【０００３】
このように構成された商品陳列棚はレジを使用している場合には、正面と両側面に商品が陳列されているため、お客さんの動線に合わせた商品販売が可能となるが、レジを使用していない場合には左右のゴンドラが商品陳列棚本体の両側面に位置しているため、該部位の商品が見ずらく、お客さんの動線に合わせた商品の陳列にならないという欠点があった。
【特許文献１】特になし。
【発明の開示】
【発明が解決しようとする課題】
【０００４】
本発明は以上のような従来の欠点に鑑み、レジの使用、不使用時に最適な状態で商品を陳列できるようにして、お客さんの動線に合わせた商品販売が可能な商品陳列棚を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はレジの横等に設置することができる商品陳列棚本体と、この商品陳列棚本体の少なくとも一方の側面に側面部位あるいは側面より外方へ突出するように回動支持することができる回動支持機構を介して取付けられたウイング陳列棚とで商品陳列棚を構成している。
【発明の効果】
【０００７】
以上の説明から明らかなように、本発明にあっては次に列挙する効果が得られる。
【０００８】
（１）ウイング陳列棚を使用状態に応じて、お客さんの動線に合わせた商品販売ができるように回動移動させて使用することができる。
したがって、効率のよい商品の陳列ができる。
【０００９】
（２）前記（１）によって、ウイング陳列棚を回動させるだけでよいので、操作が容易で、短時間に変更することができる。
【００１０】
（３）前記（１）によって、ウイング陳列棚と商品陳列棚本体とが回動支持機構を介して取付けられているので、バラバラになることなく、整理整頓状態で使用することができる。
【００１１】
（４）請求項２も前記（１）〜（３）と同様な効果が得られるとともに、設置場所の移動も容易に行なうことができる。
【発明を実施するための最良の形態】
【００１２】
以下、図面に示す本発明を実施するための最良の形態より、本発明を詳細に説明する。
【００１３】
図１ないし図７に示す本発明を実施するための最良の第１の形態において、１はレジ横等に設置して、レジの使用状態に応じてお客さんの動線に合わせた商品販売が可能に、調整することができる本発明の商品陳列棚で、この商品陳列棚１は底面に移動用のキャスター２、２、２、２が取付けられたベース板３、このべース板３の後方部位に下端部が取付けられた背面板４、この背面板４の両端部および前記ベース板３の両端部に下端部が取付けられた複数枚の棚板５、５、５を支持することができる両側枠６、６とからなる可動式商品陳列棚本体７と、この可動式商品陳列棚本体７の両側面に側面部位あるいは側面より外方へ突出するように回動支持する回動支持機構８、８を介して取付けられた左右のウイング陳列棚９、９とで構成されている。
【００１４】
前記左右のウイング陳列棚９、９は前記可動式商品陳列棚本体７の側面の寸法とほぼ同じ寸法に形成された可動ベース板１０と、この可動ベース板１０の先端部寄りの底面に取付けられた自在キャスター１１と、前記可動ベース板１０の後方部位に固定された格子状の棚枠１２と、この棚枠１２に着脱可能に取付けられた複数個の商品収納カゴ１３、１３、１３、１３、１３とで構成されている。
【００１５】
前記回動支持機構８、８は前記可動式商品陳列棚本体７のベース板３の両端部に取付けられたリップミゾ形鋼形状のガイドレール１４、１４と、このガイドレール１４、１４にガイドされてスライド移動する、前記左右のウイング陳列棚９、９の可動ベース板１０の後方の角部より外方へ突出する先端部が球状のガイド片１５、１５と、このガイド片１５、１５の前方に位置する、前記可動ベース板１０、１０の側面に前記ガイドレール１４、１４内に挿入支持される係合片１６、１６と、前記可動ベース板１０、１０の背面に前記ガイドレール１４、１４内に挿入支持される背面係合片１７、１７とで構成されている。
【００１６】
上記構成の商品陳列棚１はレジ１８を使用する場合には、図１に示すように商品陳列棚本体７の両側面に左右のウイング陳列棚９、９の棚枠１２、１２が当接するように位置させることにより、お客さんの動線に合わせた商品の陳列ができる。
【００１７】
また、レジ１８を休止している場合には、図２に示すように商品陳列棚本体７の両端部より外方へ突出するように左右のウイング陳列棚９、９を位置させる。
この作業は左右のウイング陳列棚９、９の遊端部である後方部位をガイド片１５、１５を中心に前方へ回動させるとともに、商品陳列棚本体７のベース板３の前面と左右のウイング陳列棚９、９の可動ベース板１０、１０の前面とが、ほぼ同一面となるように左右のウイング陳列棚９、９を後方へスライド移動させて行なう。
このように商品陳列棚本体７と、両端部の左右のウイング陳列棚９、９とがほぼ同一面となり、お客さんの動線に合わせた商品の陳列ができる。
[発明を実施するための異なる形態]
【００１８】
次に、図８ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、金属材製のガイドレール１４Ａ、１４Ａと、このガイドレール１４Ａ、１４Ａに吸着する磁性材で形成された係合片１６Ａ、１６Ａおよび背面係合片１７Ａ、１７Ａとを使用する回動支持機構８Ａ、８Ａを用いた点で、このような回動支持機構８Ａ、８Ａを用いて構成した商品陳列棚１Ａにしても、前記本発明を実施するための最良の第１の形態と同様な作用効果が得られるとともに、商品陳列棚本体７の側面あるいは外方へ突出した状態で、左右のウイング陳列棚９、９は回動支持機構８Ａ、８Ａのガイドレール１４Ａ、１４Ａと背面係合片１７Ａ、１７Ａ、あるいはガイドレール１４Ａ、１４Ａと係合片１６Ａ、１６Ａとが磁性材によって吸着固定状態にできる。
【００２０】
図１１ないし図１３に示す本発明を実施するための第３の形態において、前記本発明を実施するための最良の第１の形態と主に異なる点は、商品陳列棚本体７のベース板３の両端部の前方寄り部位と左右のウイング陳列棚９、９の可動ベース板１０、１０の後方の角部とに、ヒンジ部材１９、１９を取付けて回動可能にするとともに、該左右のウイング陳列棚９、９を商品陳列棚本体７の両側面あるいは外方へ突出した状態を保持する保持具２０、２０とを使用する回動支持機構８Ｂ、８Ｂを用いた点で、このような回動支持機構８Ｂ、８Ｂを用いて構成した商品陳列棚１Ｂにしても、前記本発明を実施するための最良の第１の形態と同様な作用効果が得られる。
【００２１】
図１４ないし図１６に示す本発明を実施するための第４の形態において、前記本発明を実施するための最良の第１の形態と主に異なる点は、キャスターを用いることなく、固定状態で使用する商品陳列棚本体７Ａと、棚枠１２、１２に複数個の商品収納カゴ１３Ａ、１３Ａ、１３Ａ、１３Ａを固定的に取付けた左右のウイング陳列棚９Ａ、９Ａを用いた点で、このように構成した商品陳列棚１Ｃにしても、前記本発明を実施するための最良の第１の形態と同様な作用効果が得られる。
【００２２】
図１７ないし図１９に示す本発明を実施するための第５の形態において、前記本発明を実施するための最良の第１の形態と主に異なる点は、商品陳列棚本体７の一側面にだけウイング陳列棚９を取付けた点で、このように構成した商品陳列棚１Ｄにしてもよい。
【００２３】
なお、前記本発明を実施するための形態で用いた回動支持機構８、８Ａ、８Ｂ以外に左右のウイング陳列棚９、９を商品陳列棚本体７、７Ａの側面あるいは外方へ突出させた状態を任意に設定することができる機構であれば、どんな機構を用いてもよい。
【産業上の利用可能性】
【００２４】
本発明は商品陳列棚を製造する産業あるいはこれを使用する産業で利用される。
【図面の簡単な説明】
【００２５】
【図１】本発明を実施するための最良の第１の形態の使用状態の平面図。
【図２】本発明を実施するための最良の第１の形態の異なる使用状態の平面図。
【図３】本発明を実施するための最良の第１の形態の正面図。
【図４】本発明を実施するための最良の第１の形態の側面図。
【図５】本発明を実施するための最良の第１の形態の底面図。
【図６】図４の６−６線に沿う断面図。
【図７】本発明を実施するための最良の第１の形態の回動支持機構の説明図。
【図８】本発明を実施するための第２の形態の平面図。
【図９】本発明を実施するための第２の形態の正面図。
【図１０】本発明を実施するための第２の形態の回動支持機構の説明図。
【図１１】本発明を実施するための第３の形態の平面図。
【図１２】本発明を実施するための第３の形態の正面図。
【図１３】本発明を実施するための第３の形態の回動支持機構の説明図。
【図１４】本発明を実施するための第４の形態の平面図。
【図１５】本発明を実施するための第４の形態の正面図。
【図１６】本発明を実施するための第４の形態の側面図。
【図１７】本発明を実施するための第５の形態の平面図。
【図１８】本発明を実施するための第５の形態の正面図。
【図１９】本発明を実施するための第５の形態の側面図。
【符号の説明】
【００２６】
１、１Ａ、１Ｂ、１Ｃ、１Ｄ：商品陳列棚、
２：キャスター、                ３：ベース板、
４：背面板、                    ５：棚板、
６：側枠、                                        
７、７Ａ：可動式商品陳列棚本体、
８、８Ａ、８Ｂ：回動支持機構、  ９、９Ａ：ウイング陳列棚、
１０：可動ベース板、            １１：自在キャスター、
１２：棚枠、                    １３、１３Ａ：商品収納カゴ、
１４、１４Ａ：ガイドレール、    １５：ガイド片、
１６、１６Ａ：係合片、          １７、１７Ａ：背面係合片、
１８：レジ、                    １９：ヒンジ部材、
２０：保持部。
【図１】
2005253719.tif 000003
【図２】
2005253719.tif 000004
【図３】
2005253719.tif 000005
【図４】
2005253719.tif 000006
【図５】
2005253719.tif 000007
【図６】
2005253719.tif 000008
【図７】
2005253719.tif 000009
【図８】
2005253719.tif 000010
【図９】
2005253719.tif 000011
【図１０】
2005253719.tif 000012
【図１１】
2005253719.tif 000013
【図１２】
2005253719.tif 000014
【図１３】
2005253719.tif 000015
【図１４】
2005253719.tif 000016
【図１５】
2005253719.tif 000017
【図１６】
2005253719.tif 000018
【図１７】
2005253719.tif 000019
【図１８】
2005253719.tif 000020
【図１９】
2005253719.tif 000021